(57)【要約】【課題】運転手が入出庫スペースで落とし物をしても、回収が簡単にでき、運用の容易な機械式駐車装置を提供しようとする。【解決手段】従来の運転手が入出庫スペースで乗車または下車する車両を駐車スペースに駐車させる機械式駐車装置にかわって、車両を上面に載せ上から見て左辺と右辺とを持った構造体であるパレットと、前記パレットの前記左辺または右辺の少なくとも一方に沿って固定され柔軟材料製の長尺部を有する左右辺部材と、入出庫スペースにあるパレットを上方または下方に移動して駐車スペースへ搬送するパレット搬送機構と、を備え、前記入出庫スペースに複数の前記パレットが所定の左右方向の隙間Ｈを空けて左右方向に並び、前記長尺部が前記隙間Ｈを埋めることができる様になっているものとした。【選択図】　　図２
2004019232.tif 000002
【特許請求の範囲】
【請求項１】
運転手が入出庫スペースで乗車または下車する車両を駐車スペースに駐車させる機械式駐車装置であって、
車両を上面に載せ上から見て左辺と右辺とを持った構造体であるパレットと、
前記パレットの前記左辺または右辺の少なくとも一方に沿って固定され柔軟材料製の長尺部を有する左右辺部材と、
入出庫スペースにあるパレットを上方または下方に移動して駐車スペースへ搬送するパレット搬送機構と、
を備え、
前記入出庫スペースに複数の前記パレットが所定の左右方向の隙間Ｈを空けて左右方向に並び、
前記長尺部が前記隙間Ｈを埋めることができる様になっていることを特徴とする機械式駐車装置。
【請求項２】
運転手が入出庫スペースで乗車または下車する車両を駐車スペースに駐車させる機械式駐車装置であって、
車両を上面に載せ上から見て左辺と右辺とを持った構造体であるパレットと、
前記パレットの前記左辺または右辺の少なくとも一方に沿って固定され柔軟材料製の長尺部を有する左右辺部材と、
入出庫スペースに設けられ左辺又は右辺を持った開口部を有するプラットホームと、
前記プラットホームの開口部にあるパレットを上方または下方に移動して駐車スペースへ搬送するパレット搬送機構と、
を備え、
前記プラットホームの開口部の左辺または右辺と前記パレットの左辺又は右辺との間に左右方向の隙間Ｈが空いており、
前記長尺部が前記隙間Ｈを埋めることができる様になっていることを特徴とする機械式駐車装置。
【請求項３】
運転手が入出庫スペースで乗車または下車する車両を駐車スペースに駐車させる機械式駐車装置であって、
車両を上面に載せ上から見て左辺と右辺とを持った構造体であるパレットと、
入出庫スペースに設けられ左辺又は右辺を持った開口部を有するプラットホームと、
前記開口部の左辺または右辺の少なくとも一方に沿って固定され柔軟材料製の長尺部を有する左右辺部材と、
前記プラットホームの開口部にあるパレットを上方または下方に移動して駐車スペースへ搬送するパレット搬送機構と、
を備え、
前記プラットホームの前記開口部の左辺または右辺と前記パレットの左辺または右辺との間に左右方向の隙間Ｈが空いており、
前記長尺部が前記隙間Ｈを埋めることができる様になっていることを特徴とする機械式駐車装置。
【請求項４】
前記左右辺部材が前記長尺部の中心部に長手方向に沿った空洞部を有することを特徴とする請求項１乃至請求項３に記載の機械式駐車装置。
【請求項５】
圧縮ガスを吐出する圧縮ガス供給装置を備え、
前記空洞部が気密であって、
前記圧縮ガス供給装置が、前記空洞部に圧縮ガスを供給可能になっていることを特徴とする請求項４に記載の機械式駐車装置。
【請求項６】
前記左右辺部材が前記長尺部の長手方向に沿って左方又は右方の一方に伸びた突起部を有することを特徴とする請求項１乃至請求項５に記載の機械式駐車装置。
【請求項７】
パレットの左辺若しくは右辺またはプラットホームの開口部の左辺若しくは右辺が下方に開放端をもつ板材で形成され、
前記左右辺部材が前記板材の開放端を把持する把持部を有することを特徴とする請求項１乃至請求項６に記載の機械式駐車装置。
【発明の詳細な説明】
【０００１】
【発明の属する技術分野】
本発明は、機械式駐車装置に係る。特に車両をパレットに載せて駐車させる機械式駐車装置のパレットの両サイドに生ずる隙間の処理構造に特徴のある機械式駐車装置に関する。
【０００２】
【従来の技術】
自動車等の車両を駐車させる駐車場には、自動車が自走して定められた駐車スペースに駐車する自走式駐車場と、自動車を機械装置によりハンドリングして駐車させる機械式駐車装置とがある。
多くの機械式駐車装置では、自動車の取り回しを容易にするために車両を上面に載せるパレットを用意し、パレットに載せた車両をパレットごとハンドリングする。
機械式駐車装置には、その用途に合わせて各種の形式のものがある。車両の駐車スペースと入出庫スペースの位置関係に着目して分類し仮に名称を付けると、地上式機械式駐車装置、地下式機械式駐車装置、簡易多段式駐車装置、等がある。
【０００３】
どの形式も運転手が乗車または下車する場所は、車両の走行面と同レベルにある入出庫スペースである。
地上式機械式駐車装置は、入出庫スペースで受け取った車両をパレットごと上に持ち上げ、上方に駐車スペースに置く形式であり、大規模の駐車場に向いている。
地下式機械式駐車装置は、入出庫スペースで受け取った車両をパレットごと地下に降ろし、地下の駐車スペースに置く形式であり、大規模、中規模の駐車場に向いている。
簡易多段式駐車装置は、通常２段または３段の駐車スペースに、簡易な駆動機構をもちいてパレットを昇降させる形式であり、個人の家屋やマンション等の小規模の駐車場にむいている。
そのいずれの形式の機械式駐車装置においても、入出庫スペースにあるパレットの下にはピットが存在するのが通例である。
【０００４】
例えば、地上式機械式駐車装置では、入出庫スペースの下にパレットの前後方向を変更するためのターンテーブルが仕込まれていることがある。そのため、ピットが、ターンテーブルを内蔵するために、入出庫スペースの下にある。
また、地下式機械式駐車装置では、入出庫スペースの下にパレットを引き下ろすための開口部があいており、その開口部の下にはパレットを上下させるための昇降装置が仕込まれている。そのため、ピットが、昇降装置を内蔵するために、入出庫スペースの下にある。
また、簡易多段式駐車装置では、地上にあるパレットを地下に潜り込ませて、上段のパレットを下段の地上部におろす構造を取っていることがある。そのため、ピットが、地上部のパレットを格納するために、入出庫スペースの下にある。
【０００５】
運転手は、入出庫スペースに車両を入庫させた後、ドアを開けて下車し、ドアを施錠して退場する。また、運転手は、入場して、入出庫スペースにある車両のドアを解錠してドアを開けて乗車し、ドアを締めて出庫する。
この際に、運転手が鍵等を手元から落とすことがある。通常では、落とした鍵等はパレットの上面にあるので、鍵等の回収は容易である。
しかし、場合によっては、鍵等がパレットの端にある隙間からピットに落ちてしまうことがある。
機械式駐車装置の運用上、ピットへの運転手の立ち入りは禁止されているので、ピットに落ちた鍵を回収するにはオペレータまたはサービスマンの手を借りる必要が有る。
【０００６】
ところで、地上式機械式駐車装置や地下式機械式駐車装置は、規模が大きいのでオペレータまたはメンテナンス員が常駐しており、比較的容易に鍵の回収ができる。しかし、オペレータまたはメンテナンス員が鍵を回収している間、機械式駐車装置の運転を一時停止する必要が有る。
また、簡易多段式駐車装置では、規模が小さいので常駐のオペレータがいることが稀であり、通常はサービス会社に連絡してサービスマンを呼ぶ必要があり、鍵の回収に時間を要していた。
【０００７】
【発明が解決しようとする課題】
上述の様に、従来の機械式駐車装置では、運転手が鍵等を落として万一鍵がピットに落ちたときに、鍵の回収に時間がかかったり、鍵を回収する為に駐車装置を一時停止したりする必要があり、機械式駐車装置の運用に手間がかかっていた。
【０００８】
本発明は以上に述べた問題点に鑑み案出されたもので、従来の機械式駐車装置にかわって、運転手が入出庫スペースで落とし物をしても、回収が簡単にでき、運用の容易な機械式駐車装置を提供しようとする。
【０００９】
【課題を解決するための機構】
上記目的を達成するため、本発明に係る運転手が入出庫スペースで乗車または下車する車両を駐車スペースに駐車させる機械式駐車装置を、車両を上面に載せ上から見て左辺と右辺とを持った構造体であるパレットと、前記パレットの前記左辺または右辺の少なくとも一方に沿って固定され柔軟材料製の長尺部を有する左右辺部材と、入出庫スペースにあるパレットを上方または下方に移動して駐車スペースへ搬送するパレット搬送機構と、を備え、前記入出庫スペースに複数の前記パレットが所定の左右方向の隙間Ｈを空けて左右方向に並び、前記長尺部が前記隙間Ｈを埋めることができる様になっているものとした。
【００１０】
上記本発明の構成により、パレットが車両を上面に載せ上から見て左辺と右辺とを持った構造体であり、柔軟材料製の長尺部を有する左右辺部材が前記パレットの前記左辺または右辺の少なくとも一方に沿って固定され、パレット搬送機構が入出庫スペースにあるパレットを上方または下方に移動して駐車スペースへ搬送し、前記入出庫スペースに複数の前記パレットが所定の左右方向の隙間Ｈを空けて左右方向に並び、前記長尺部が前記隙間Ｈを埋めることができる様になっているので、パレットが入出庫スペースにある時は左右辺部材の柔軟材料製の長尺部が入出庫スペースにある複数のパレットの左右方向の隙間Ｈを埋めて入出庫スペースでの落とし物が隙間Ｈから下に落ちることを防止でき、パレット搬送機構がパレットを入出庫スペースから駐車スペースに搬送するためにパレットを上方または下方に移動する際には左右辺部材の長尺部が撓むので左右辺部材を痛めることなく、左右に並んだ複数のパレットの中のひとつのパレットを移動させることが出来きる。
【００１１】
また、本発明に係る運転手が入出庫スペースで乗車または下車する車両を駐車スペースに駐車させる機械式駐車装置は、車両を上面に載せ上から見て左辺と右辺とを持った構造体であるパレットと、前記パレットの前記左辺または右辺の少なくとも一方に沿って固定され柔軟材料製の長尺部を有する左右辺部材と、入出庫スペースに設けられ左辺又は右辺を持った開口部を有するプラットホームと、前記プラットホームの開口部にあるパレットを上方または下方に移動して駐車スペースへ搬送するパレット搬送機構と、を備え、前記プラットホームの開口部の左辺または右辺と前記パレットの左辺又は右辺との間に左右方向の隙間Ｈが空いており、前記長尺部が前記隙間Ｈを埋めることができる様になっているものとした。
【００１２】
上記本発明の構成により、パレットが車両を上面に載せ上から見て左辺と右辺とを持った構造体であり、柔軟材料製の長尺部を有する左右辺部材が前記パレットの前記左辺または右辺の少なくとも一方に沿って固定され、左辺又は右辺を持った開口部を有するプラットホームが入出庫スペースに設けられ、パレット搬送機構が前記プラットホームの開口部にあるパレットを上方または下方に移動して駐車スペースへ搬送し、前記プラットホームの開口部の左辺または右辺と前記パレットの左辺又は右辺との間に左右方向の隙間Ｈが空いており、前記長尺部が前記隙間Ｈを埋めることができるので、パレットが入出庫スペースにある時は左右辺部材の柔軟材料製の長尺部が入出庫スペースにあるプラットホームの開口部とパレットとの左右方向の隙間Ｈを埋めて入出庫スペースでの落とし物が隙間Ｈから下に落ちることを防止でき、パレット搬送機構がパレットを入出庫スペースから駐車スペースに搬送するためにパレットを上方または下方に移動する際には左右辺部材の長尺部が撓むので左右辺部材を痛めることなく、パレット同士を引き離すことが出来きる。
【００１３】
さらに、本発明に係る運転手が入出庫スペースで乗車または下車する車両を駐車スペースに駐車させる機械式駐車装置は、車両を上面に載せ上から見て左辺と右辺とを持った構造体であるパレットと、入出庫スペースに設けられ左辺又は右辺を持った開口部を有するプラットホームと、前記開口部の左辺または右辺の少なくとも一方に沿って固定され柔軟材料製の長尺部を有する左右辺部材と、前記プラットホームの開口部にあるパレットを上方または下方に移動して駐車スペースへ搬送するパレット搬送機構と、を備え、前記プラットホームの前記開口部の左辺または右辺と前記パレットの左辺または右辺との間に左右方向の隙間Ｈが空いており、前記長尺部が前記隙間Ｈを埋めることができる様になっているものとした。
【００１４】
上記本発明の構成により、パレットが車両を上面に載せ上から見て左辺と右辺とを持った構造体であり、左辺又は右辺を持った開口部を有するプラットホームが入出庫スペースに設けられ、柔軟材料製の長尺部を有する左右辺部材が前記開口部の左辺または右辺の少なくとも一方に沿って固定され、パレット搬送機構が前記プラットホームの開口部にあるパレットを上方または下方に移動して駐車スペースへ搬送し、前記プラットホームの前記開口部の左辺または右辺と前記パレットの左辺または右辺との間に左右方向の隙間Ｈが空いており、前記長尺部が前記隙間Ｈを埋めることができる様になっているので、パレットが入出庫スペースにある時は左右辺部材の柔軟材料製の長尺部が入出庫スペースにあるプラットホームの開口部とパレットとの左右方向の隙間Ｈを埋めて入出庫スペースでの落とし物が隙間Ｈから下に落ちることを防止でき、パレット搬送機構がパレットを入出庫スペースから駐車スペースに搬送するためにパレットを上方または下方に移動する際には左右辺部材の長尺部が撓むので左右辺部材を痛めることなく、パレットを上方または下方に移動できる。
【００１５】
さらに、本発明に係る機械式駐車装置は、前記左右辺部材が前記長尺部の中心部に長手方向に沿った空洞部を有するものとした。
上記本発明の構成により、空洞部が前記長尺部の中心部に長手方向に沿ってあるので、パレット搬送機構がパレットを入出庫スペースから駐車スペースに搬送するためにパレットを上方または下方に移動する際には左右辺部材の長尺部が大きく撓むことができるので、左右辺部材を痛めることを確実になくし、パレットを上方または下方に移動できる。
【００１６】
さらに、本発明に係る機械式駐車装置は、圧縮ガスを吐出する圧縮ガス供給装置を備え、前記空洞部が気密であって、前記圧縮ガス供給装置が、前記空洞部に圧縮ガスを供給可能になっているものとした。
上記本発明の構成により、圧縮ガス供給装置が空洞部に圧縮ガスを供給可能になっているので、パレットが入出庫スペースにある時は空洞部に圧縮ガスを供給し長尺部を膨張させて、左右辺部材の柔軟材料製の長尺部が入出庫スペースにあるプラットホームの開口部とパレットとの左右方向の隙間Ｈを確実に埋めて入出庫スペースでの落とし物が左右方向の隙間Ｈから下に落ちることを確実に防止できる。
【００１７】
さらに、本発明に係る機械式駐車装置は、前記左右辺部材が前記長尺部の長手方向に沿って左方又は右方の一方に伸びた突起部を有するものとした。
上記本発明の構成により、突起部が前記長尺部の長手方向に沿って左方又は右方の一方に伸びるので、パレット搬送機構がパレットを入出庫スペースへパレットを上方または下方に移動する際に、突起部が隣のパレットまたはプラットホームに開口部に当たった時に曲って干渉を避けることができるので、左右辺部材を痛めることなく、パレットを上方または下方に移動できる。
【００１８】
さらに、本発明に係る機械式駐車装置は、パレットの左辺若しくは右辺またはプラットホームの開口部の左辺若しくは右辺が下方に開放端をもつ板材で形成され、前記左右辺部材が前記板材の開放端を把持する把持部を有するものとした。上記本発明の構成により、下方に開放端をもつ板材がパレットの左辺若しくは右辺またはプラットホームの開口部の左辺若しくは右辺を形成し、把持部が前記板材の開放端を把持するので、簡単に左右辺部材をパレットまたは開口部に取り付けることができる。
【００１９】
【発明の実施の形態】
以下、本発明の好ましい実施形態を、図面を参照して説明する。なお、各図において、共通する部分には同一の符号を付し、重複した説明を省略する。
【００２０】
本発明の第一の実施形態に係る機械式駐車装置を説明する。図１乃至図３は、第一の実施形態に係る機械式駐車装置の概念図である。
第一の実施形態に係る機械式駐車装置は、本発明の構造を簡易二多段式駐車場に適用したものである。
簡易二多段式駐車場は、地上部に入出庫スペースＳをもち、入出庫スペースＳが駐車スペースＰを兼用し、さらに、入出庫スペースＳを中段として、下段と上段にそれぞれ駐車スペースＰをもつ構造をしている。下段の駐車スペースＰは、ピットの中に収められている。
機械式駐車装置（簡易二多段式駐車場）１は、運転手が入出庫スペースＳで乗車または下車する車両２を駐車スペースＰに駐車させる装置であって、パレット１０と左右辺部材２０とパレット搬送機構５０とを備える。
入出庫スペースＳが駐車スペースＰを兼ねており、さらに他の駐車スペースが入出庫スペースＳの上段と下段とに設けられる。
パレット１０は、車両を上面に載せ上から見て左辺と右辺とを持った略四辺形の構造体である。
左右辺部材２０は、前記パレット１０の前記左辺または右辺の少なくとも一方に沿って固定され柔軟材料製の長尺部２１を有する部材である。
パレット搬送機構５０は、入出庫スペースＳにあるパレットを上方または下方に移動して下段または上段にある駐車スペースＰへ搬送する機構である。
【００２１】
左右辺部材２０の長尺部２１が入出庫スペースＳに並ぶパレット１０と他のパレット１０との水平方向の隙間Ｈを埋めている。
左右辺部材２０は、長尺部２１の長手方向に沿って長尺の空洞部２２を有するのが好ましい。
また、左右辺部材２０は、長尺部２１の長手方向に沿って左方向又は右方向の一方に伸びた突起部２３を有するのが好ましい。
また、パレットの左辺若しくは右辺が下方に開放端をもつ板材で形成され、
前記左右辺部材が、前記板材の開放端を把持する把持部２４を有するのが好ましい。
図２では、長尺部２１と空洞部２２と突起部２３と把持部２４とを持った左右辺部材２０が示されている。
把持部２４は、パレット１０の左辺または右辺にある下が開放端となった板１１を下方から挟み込んでいる。把持部２４に沿って長尺部２１が設けられ一体化している。空洞部２２が、長尺部の断面中央に設けられている。突起部２３が長手部に沿って設けられ、突起部２３の先端部が左右方向に並んだ他のパレット１０の左辺及び右辺に接している。
【００２２】
ここで、第一の実施形態に係る機械式駐車装置の作用を説明する。入庫スペースＳに複数のパレット１０が所定の左右方向の隙間Ｈを明けて並んでいる。
入庫時：
運転手が車両を入出庫スペースＳにあるパレット１０の上面に置き、下車する。パレット搬送機構１０が、パレット１０を入出庫スペースＳから上方または下方の駐車スペースＰへ搬送する。パレット１０が上方または下方に移動すると、パレットの左辺及び右辺に取り付けられた左右辺部材２０も移動する。空洞部２２のある長手部２１が潰れながら変形し、突起部２３の先端が隣合った他の突起部２３と擦りながら離れていく。
出庫時：
パレット搬送機構１０が、パレット１０を上方または下方へ移動して駐車スペースＰから上段または下段にある入出庫スペースＳへ搬送する。パレット１０が上方または下方から移動すると、パレットの左辺及び右辺に取り付けられた左右辺部材２０も移動する。空洞部２２のある長手部２１が潰れながら変形し、突起部２３の先端が隣合った他の突起部２３と擦りながら移動し、長手部２１が隙間Ｈを埋める。運転手が、入出庫スペースＳにある車両に乗車し、出庫する。
【００２３】
次に、本発明の第二の実施形態に係る機械式駐車装置を説明する。図４乃至図６は、第二の実施形態に係る機械式駐車装置の概念図である。
第二の実施形態に係る機械式駐車装置は、別形式の簡易二多段式駐車装置に本発明の構造を適用したものである。
簡易二多段式駐車場は、地上部に入出庫スペースＳをもち、入出庫スペースＳが駐車スペースＰを兼用し、さらに、入出庫スペースを中段として、下段と上段に駐車スペースＰをもつ構造をしている。下段の駐車スペースＰは、ピットのなかに収められている。上下２段のパレットを一体として昇降させる。下段のパレットが下段の駐車スペースＰにあるときは上段のパレットは入出庫スペースＳにあり、下段のパレットが入出庫スペースＳにあるときは上段のパレットは上段の駐車スペースＰにある。
機械式駐車装置（簡易二多段式駐車場）１は、運転手が入出庫スペースＳで乗車または下車する車両を駐車スペースＰに駐車させる装置であって、パレット１０と左右辺部材２０とパレット搬送機構５０とプラットホーム６０とを備える。
入出庫スペースＳが駐車スペースＰを兼ねており、さらに他の駐車スペースが入出庫スペースＳの上方に設けられる。
パレット１０は、車両を上面に載せ上から見て左辺と右辺とを持った略四辺形の構造体である。
左右辺部材２０は、前記パレット１０の前記左辺または右辺の少なくとも一方に沿って固定され柔軟材料製の長尺部２１を有する部材である。
パレット搬送機構５０は、入出庫スペースＳにあるパレットを駐車スペースＰへ搬送する機構である。駐車スペースＰを兼ねた入出庫スペースＳにパレットを置いたままにする場合もある。
プラットホーム６０は、入出庫スペースＳに設けられパレット１０が上方または下方に出入りできる開口部をもったものである。
【００２４】
左右辺部材２０の長手部２１が入出庫スペースＳに並ぶパレット１０とプラットホーム６０の開口部の左辺または右辺との水平方向の隙間Ｈを埋めている。
左右辺部材２０は、長尺部２１の長手方向に沿って長尺の空洞部２２を有するのが好ましい。
また、左右辺部材２０は、長尺部２１の長手方向に沿って左方向又は右方向の一方に伸びた突起部２３を有するのが好ましい。
また、パレットの左辺若しくは右辺が下方に開放端をもつ板材で形成され、
前記左右辺部材が、前記板材の開放端を把持する把持部２４を有するのが好ましい。
図５では、長尺部２１と空洞部２２と突起部２３と把持部２４とを持った左右辺部材２０が示されている。
把持部２４は、パレット１０の左辺または右辺にある下が開放端となった板１１を下方から挟み込んでいる。把持部２４に沿って長尺部２１が設けられ一体化している。空洞部２２が、長尺部の断面中央線に沿って設けられている。突起部２３が長手部に沿って設けられ、突起部２３の先端部が左右方向にプラットホーム６０の左辺又は右辺に接している。
【００２５】
ここで、第二の実施形態に係る機械式駐車装置の作用を説明する。入庫スペースＳでは、パレット１０がプラットホーム６０の開口部に位置し、プラットホーム１０の開口部の左辺または右辺とパレット１０の左辺又は右辺との間に左右方向の隙間Ｈが空いている。
入庫時：
運転手が車両を入出庫スペースＳにあるパレット１０の上面に置き、下車する。パレット搬送機構１０が、パレット１０を入出庫スペースＳから上方または下方へ移動し、駐車スペースＰへ搬送する。パレット１０が上方または下方に移動すると、パレットの左辺または右辺に取り付けられた左右辺部材２０も移動する。空洞部２２のある長手部２１がつぶれて変形し、突起部２３の先端が隣合った開口部の左辺または右辺に擦りながら離れていく。
出庫時：
パレット搬送機構１０が、パレット１０を上方または下方へ移動し、駐車スペースＰから入出庫スペースＳへ搬送する。パレット１０が上方または下方から移動すると、パレットの左辺または右辺に取り付けられた左右辺部材２０も移動する。空洞部２２のある長手部２１が潰れながら変形し、突起部２３の先端が開口部の左辺または右辺に擦りながら移動し、長手部２１が隙間Ｈを埋める。運転手が入出庫スペースＳにある車両に乗車し、出庫する。
【００２６】
次に、本発明の第三の実施形態に係る機械式駐車装置を説明する。図７、図８、図９は、第三の実施形態に係る機械式駐車装置の概念図である。
第三の実施形態に係る機械式駐車装置は、地下式駐車装置に本発明の構造を適用したものである。
地下式駐車装置は、地上部に入出庫スペースＳをもち、地下に駐車スペースＰをもつ。地下式駐車装置は、入出庫スペースＳで車両をパレット上に受け入れ、車両を載せたパレットを地下に下げて、駐車スペースＰに置く。
機械式駐車装置（地下式駐車装置）１は、運転手が入出庫スペースＳで乗車または下車する車両２を駐車スペースＰに駐車させる装置であって、パレット１０と左右辺部材３０と圧縮ガス供給装置４０とパレット搬送機構５０とプラットホーム６０とを備える。
駐車スペースＰが入出庫スペースＳの下にあり、入出庫スペースＳが駐車スペースＳを兼ねることは通常ない。
プラットホーム６０は、入出庫スペースＳに設けられパレット１０が上方または下方に移動して出入りできる開口部をもったものである。
パレット１０は、車両を上面に載せ上から見て左辺と右辺とを持った略四辺形の構造体である。
左右辺部材３０は、プラットホーム６０の開口部の左辺または右辺の少なくとも一方に沿って固定され柔軟材料製の長尺部３１を有する部材である。
パレット搬送機構５０は、入出庫スペースＳにあるパレットを駐車スペースＰへ搬送する機構である。パレット搬送機構５０は、パレット１０をプラットホーム６０と駐車スペースＰとの間を上下に昇降させる機構と、駐車スペースＰにパレット１０を水平搬送する機構とで構成される。
【００２７】
左右辺部材３０の長手部３１が入出庫スペースＳに並ぶパレット１０とプラットホーム６０の開口部の左辺または右辺との水平方向の隙間Ｈを埋めている。
左右辺部材３０は、長尺部３１の長手方向に沿って長尺の空洞部３２を有するのが好ましい。
また、左右辺部材３０は、長尺部３１の長手方向に沿って左方向又は右方向の一方に伸びた突起部３３を有するのが好ましい。
図８では、長尺部３１と空洞部３２と突起部３３と把持部３４とを持った左右辺部材３０が示されている。
把持部３４は、開口部の左辺と右辺の側面にボルト等で固定される。把持部３４に沿って長尺部３１が設けられ一体化している。空洞部３２が、長尺部の断面中央線に沿って設けられている。突起部３３が長手部に沿って設けられ、突起部３３の先端部が左右方向に位置するパレット１０の左辺または右辺の側面に接している。
【００２８】
圧縮ガス供給装置４０は、左右辺部材３０の空洞部３２に圧縮ガスを供給するものである。圧縮ガス供給装置４０が圧縮ガスを供給すると、空洞部３２に圧縮ガスが充満し、長手部３１が膨張し、隙間Ｈを完全に埋める。
【００２９】
ここで、第三の実施形態に係る機械式駐車装置の作用を説明する。入庫スペースＳにおいて、パレット１０がプラットホーム６０の開口部に位置し、プラットホーム１０の開口部の左辺または右辺とパレット１０の左辺又は右辺との間に左右方向の隙間Ｈが空いている。
圧縮ガス供給装置が、圧縮ガスを左右辺部材２０の空洞部２２に供給し、長手部２１が膨張し、隙間Ｈをしっかりと塞いでいる。
入庫時：
運転手が車両を入出庫スペースＳにあるパレット１０の上面に置き、下車する。
圧縮ガス供給装置が、左右辺部材３０の空洞部３２から圧縮ガスをぬき、長手部３１が収縮し、隙間Ｈに空隙ができる。
パレット搬送機構１０が、パレット１０を入出庫スペースＳから下方の駐車スペースＰへ搬送する。パレット１０が上方または下方に移動する。パレット１０の左辺と右辺の側面は、左右辺部材３０に接しておらず、突起部３３がパレット１０に接触することがない。
出庫時：
パレット搬送機構１０が、パレット１０を下方の駐車スペースＰから入出庫スペースＳへ搬送する。パレット１０が下方から移動する。パレット１０の左辺と右辺の側面は、左右辺部材３０に接しておらず、突起部３３がパレット１０に接触することがない。
圧縮ガス供給装置が、圧縮ガスを左右辺部材３０の空洞部３２に供給し、長手部３１が膨張し、隙間Ｈをしっかりと塞ぐ。
運転手が入出庫スペースＳにある車両に乗車し、出庫する。
【００３０】
上述の実施形態の車両を駐車スペースに駐車させる機械式駐車装置を用いれば、運転手が入出庫スペースで落とし物をした際に、落とし物がパレットとパレットとの隙間、またはパレットとプラットホームの開口部との隙間から下に落とすことを防止することができる。
また、左右辺部材の長尺部の空洞があると、隙間の寸法が変化しても長尺部が変形するので、隙間Ｈに空隙ができることがない。
また、左右辺部材の突起部があると、パレットとパレットまたはパレットと開口部とが上下方向に移動する際に、突起部が倒れて干渉を逃げるので、左右辺部材に無理な力が作用せず、左右辺部材の寿命が伸びる。
また圧縮ガス供給装置を備え、圧縮ガスを空洞部に供給する様にすると、隙間Ｈが広くなったり狭くなったりしても確実に隙間Ｈを埋めることができる。
【００３１】
本発明は以上に述べた実施形態に限られるものではなく、発明の要旨を逸脱しない範囲で各種の変更が可能である。
左右辺部材の取り付け方法や、取り付け位置は、説明した実施形態に限定されず、適時適当な組み合わせをすることができる。例えば、左右辺部材を運転席近傍の一部の領域にのみ固定することもでき、パレットの上辺と下辺にも左右辺部材と同様の構造の部材を固定することもできる。
圧縮ガス供給装置の採用も有無も、説明した実施形態に限定されず、適時適当な組み合わせをすることができる。
【００３２】
【発明の効果】
以上説明したように本発明の運転手が入出庫スペースで乗車または下車する車両を駐車スペースに駐車させる機械式駐車装置は、その構成により、以下の効果を有する。
入出庫スペースに並ぶパレットの左辺又は右辺に柔軟材料製の長尺部を配したので、パレットが入出庫スペースにある時は左右辺部材の柔軟材料製の長尺部が入出庫スペースにある複数のパレットの左右方向の隙間が埋めて入出庫スペースでの落とし物が左右方向の隙間から下に落ちることを防止でき、パレット搬送機構がパレットを入出庫スペースから駐車スペースに搬送するためにパレットを上方または下方に移動する際には左右辺部材の長尺部が撓むので左右辺部材を痛めることなく、左右に並んだ複数のパレットの中のひとつのパレットを移動させることができる。
プラットホームの開口部に入るパレットの左辺または右辺に柔軟材料製の長尺部を配したので、パレットが入出庫スペースにある時は左右辺部材の柔軟材料製の長尺部が入出庫スペースにあるプラットホームの開口部とパレットとの左右方向の隙間を埋めて入出庫スペースでの落とし物が左右方向の隙間から下に落ちることを防止でき、パレット搬送機構がパレットを入出庫スペースから駐車スペースに搬送するためにパレットを上方または下方に移動する際には左右辺部材の長尺部が撓むので左右辺部材を痛めることなく、パレット同士を引き離すことができる。
パレットが入るプラットホームの開口部の左辺または右辺に柔軟材料製の長尺部を配したので、パレットが入出庫スペースにある時は左右辺部材の柔軟材料製の長尺部が入出庫スペースにあるプラットホームの開口部とパレットとの左右方向の隙間を埋めて入出庫スペースでの落とし物が左右方向の隙間から下に落ちることを防止でき、パレット搬送機構がパレットを入出庫スペースから駐車スペースに搬送するためにパレットを上方または下方に移動する際には左右辺部材の長尺部が撓むので左右辺部材を痛めることなく、パレットを上方または下方に移動できる。
また、空洞部が前記長尺部の中心部に長手方向に沿ってあるので、パレット搬送機構がパレットを入出庫スペースから駐車スペースに搬送するためにパレットを上方または下方に移動する際には左右辺部材の長尺部が大きく撓むことができるので、左右辺部材を確実に痛めることなく、パレットを上方または下方に移動できる。
また、圧縮ガス供給装置が空洞部に圧縮ガスを供給可能になっているので、空洞部に圧縮ガスを供給すると長尺部を膨張させて、パレットが入出庫スペースにある時は左右辺部材の柔軟材料製の長尺部が入出庫スペースにあるプラットホームの開口部とパレットとの左右方向の隙間を確実に埋めて入出庫スペースでの落とし物が左右方向の隙間から下に落ちることを確実に防止できる。
また、突起部が前記長尺部の長手方向に沿って左方向又は右方向の一方に伸びるので、パレット搬送機構がパレットを入出庫スペースへパレットを上方または下方に移動する際に、突起部が隣のパレットまたはプラットホームに開口部に当たって大きく撓むことができるので、左右辺部材を痛めることなく、パレットを上方または下方に移動できる。
また、下方に開放端をもつ板材がパレットの左辺若しくは右辺またはプラットホームの開口部の左辺若しくは右辺を形成し、把持部が前記板材の開放端を把持するので、簡単に左右辺部材をパレットまたは開口部に取り付けることができる。
従って、運転手が入出庫スペースで落とし物をしても、回収が簡単にでき、運用の容易な機械式駐車装置を提供できる。
【００３３】
【図面の簡単な説明】
【図１】本発明の第一の実施形態の概念図である。
【図２】本発明の第一の実施形態の部分概念図である。
【図３】本発明の第一の実施形態の平面図である。
【図４】本発明の第二の実施形態の概念図である。
【図５】本発明の第二の実施形態の部分概念図である。
【図６】本発明の第二の実施形態の平面図である。
【図７】本発明の第三の実施形態の概念図である。
【図８】本発明の第三の実施形態の部分概念図である。
【図９】本発明の第三の実施形態の平面図である。
【符号の説明】
１　　機械式駐車装置
２　　車両
Ｈ　　隙間
Ｓ　　入出庫スペース
Ｐ　　駐車スペース
１０　　パレット
１１　　パレットの左辺または右辺（板）
２０　　左右辺部材
２１　　長尺部
２２　　空洞部
２３　　突起部
２４　　把持部
３０　　左右辺部材
３１　　長尺部
３２　　空洞部
３３　　突起部
３４　　把持部
４０　　圧縮ガス供給装置
５０　　パレット搬送機構
６０　　プラットホーム
６１　　開口部の左辺または右辺
【図１】
2004019232.tif 000003
【図２】
2004019232.tif 000004
【図３】
2004019232.tif 000005
【図４】
2004019232.tif 000006
【図５】
2004019232.tif 000007
【図６】
2004019232.tif 000008
【図７】
2004019232.tif 000009
【図８】
2004019232.tif 000010
【図９】
2004019232.tif 000011